(57)【特許請求の範囲】
【請求項１】
１の経路情報に、複数のユーザを示す複数のグループ情報を対応させ、上記１のグループ情報に複数の位置情報を対応させ、上記１の位置情報に複数の個別情報を対応させて、経路情報の階層を形成する形成手段と、
各グループ情報毎に下位の複数の位置情報を登録し、さらに各位置情報毎に下位の複数の個別情報を登録する登録手段と、
上記１の経路情報に複数のグループ情報を対応させ、上記１のグループ情報に複数の位置情報を対応させ、上記１の位置情報に複数の個別情報を対応させて、上記階層化された経路情報に対して、各グループ情報毎に下位の複数の位置情報を表示し、さらに上記各位置情報毎に下位の複数の個別情報を表示する表示手段とを備え、
上記表示手段は、上記複数のグループ情報の中から任意の複数のグループ情報が選択された場合は、上記選択された複数のグループ情報を上記グループ毎に異ならせた複数の識別子を用いて、上記複数の各グループ情報の下位の情報として登録された位置情報によって示される位置上にそれぞれ表示するとともに、上記選択された複数のグループ情報の名称を、上記表示手段の画面上における上記グループ情報の表示位置とは異なる所定の位置に表示する
経路情報登録表示装置。
【請求項２】
上記登録手段は、上記グループ情報が新規グループ情報であるとき新規グループ情報を作成し、上記新規グループ情報の下位に複数の位置情報を登録し、上記グループ情報が新規グループ情報でないとき既存のグループ情報から選択して上記選択されたグループ情報の下位に複数の位置情報を登録する
請求項１記載の経路情報登録表示装置。
【請求項３】
上記表示手段は、上記グループ情報が新規グループ情報であるとき新規グループ情報を作成し、上記新規グループ情報の下位に複数の位置情報を表示し、上記グループ情報が新規グループ情報でないとき既存のグループ情報から選択して上記選択されたグループ情報の下位に複数の位置情報を表示する
請求項１記載の経路情報登録表示装置。
【請求項４】
１の経路情報に、複数のユーザを示す複数のグループ情報を対応させ、上記１のグループ情報に複数の位置情報を対応させ、上記１の位置情報に複数の個別情報を対応させて、経路情報の階層を形成し、
各グループ情報毎に下位の複数の位置情報を登録し、さらに各位置情報毎に下位の複数の個別情報を登録し、
上記１の経路情報に複数のグループ情報を対応させ、上記１のグループ情報に複数の位置情報を対応させ、上記１の位置情報に複数の個別情報を対応させて、上記階層化された経路情報に対して、
上記各グループ情報毎に下位の複数の位置情報を表示し、さらに各位置情報毎に下位の複数の個別情報を表示するとともに、上記複数のグループ情報の中から任意の複数のグループ情報が選択された場合は、上記選択された複数のグループ情報を上記グループ毎に異ならせた複数の識別子を用いて、上記複数の各グループ情報の下位の情報として登録された位置情報によって示される位置上にそれぞれ表示するとともに、上記選択された複数のグループ情報の名称を、上記グループ情報の表示位置とは異なる所定の位置に表示する
経路情報登録表示方法。
【請求項５】
上記グループ情報が新規グループ情報であるとき新規グループ情報を作成し、上記新規グループ情報の下位に複数の位置情報を登録し、上記グループ情報が新規グループ情報でないとき既存のグループ情報から選択して上記選択されたグループ情報の下位に複数の位置情報を登録する
請求項４記載の経路情報登録表示方法。
【請求項６】
上記グループ情報が新規グループ情報であるとき新規グループ情報を作成し、上記新規グループ情報の下位に複数の位置情報を表示し、上記グループ情報が新規グループ情報でないとき既存のグループ情報から選択して上記選択されたグループ情報の下位に複数の位置情報を表示する
請求項４記載の経路情報登録表示方法。
【発明の詳細な説明】
【０００１】
【発明の属する技術分野】
本発明は、車載用のナビゲーション装置に適用することができる経路情報登録装置、経路情報表示装置、経路情報登録方法および経路情報表示方法に関する。
【０００２】
【従来の技術】
従来のナビゲーション装置では、ルートガイド（経路案内）を用いる地図データ上に、ユーザが自由に任意の場所にマーク表示を行うことにより、マークについての様々な情報を記憶させるマーク設定を行っていた。
【０００３】
図１２に従来のマーク登録のデータ構造を示す。図１２に示すように、マークデータ２１の下位には、複数のマーク名（位置）２２として、マークデータ１（２２−１），マークデータ２（２２−２），・・・，マークデータｎ（２２−ｎ）が設けられている。さらに、各マーク名（位置）２２の下位にはそれぞれ複数の情報名２３が設けられている。つまり、マークデータ１（２２−１）には名称２３−１−１，電話番号２３−１−２，その他の情報２３−１−３が設けられ、マークデータ２（２２−２）には名称２３−２−１，電話番号２３−２−２，その他の情報２３−２−３が設けられ、，・・・，マークデータｎ（２２−ｎ）には名称２３−ｎ−１，電話番号２３−ｎ−２，その他の情報２３−ｎ−３が設けられている。
【０００４】
図１３に従来の複数ユーザのマーク表示を示す。このマーク設定は本来の機能として１ユーザ向けに設けられているため、図１３に示すように、表示部１５に表示される地図データ中において、複数のユーザ１、ユーザ２およびユーザ３がそれぞれユーザ１のマーク１３１、ユーザ２のマーク１３２およびユーザ３のマーク１３３を設定した場合、各ユーザが設定したマークを選別することができなくなり、すべてのマークを同時に表示しなければならなかった。
【０００５】
【発明が解決しようとする課題】
従って、上述した従来のナビゲーション装置におけるマーク設定では、画面表示が見えにくくなったり、各ユーザの個別設定がしにくく、また、複数の目的（例えば、仕事とプライベートなど）で、１つのナビゲーション装置を使用する場合でも、マークの個別登録、選別表示ができないため、使い勝手が悪かったという不都合があった。
【０００６】
本発明はこのような点を考慮してなされたものであり、マークの個別登録、選別表示ができ、使い勝手がよい経路情報登録装置、経路情報表示装置、経路情報登録方法および経路情報表示方法を提案することを目的とする。
【０００７】
【課題を解決するための手段】
本発明の経路情報登録表示装置は、１の経路情報に、複数のユーザを示す複数のグループ情報を対応させ、１のグループ情報に複数の位置情報を対応させ、１の位置情報に複数の個別情報を対応させて、従来の経路情報の階層よりも１階層増やすことにより、経路情報の階層を形成する形成手段と、各グループ情報毎に下位の複数の位置情報を登録し、さらに各位置情報毎に下位の複数の個別情報を登録する登録手段とを備えたものである。
【０００８】
また、本発明の経路情報登録表示装置は、１の経路情報に、複数のユーザを示す複数のグループ情報を対応させ、１のグループ情報に複数の位置情報を対応させ、１の位置情報に複数の個別情報を対応させて、従来の経路情報の階層よりも１階層増やすことにより、階層化された経路情報に対して、各グループ情報毎に下位の複数の位置情報を表示し、さらに各位置情報毎に下位の複数の個別情報を表示する表示手段を備えたものである。そして、複数のグループ情報の中から任意の複数のグループ情報が選択された場合は、選択された複数のグループ情報を上記グループ毎に異ならせた複数の識別子を用いて、上記複数の各グループ情報の下位の情報として登録された位置情報によって示される位置上にそれぞれ表示するとともに、選択された複数のグループ情報の名称を、表示手段の画面上におけるグループ情報の表示位置とは異なる所定の位置に表示するものである。
【０００９】
また、本発明の経路情報登録表示方法は、第１の階層として、１の経路情報に、複数のユーザを示す複数のグループ情報を対応させ、第２の階層として、１のグループ情報に複数の位置情報を対応させ、第３の階層として、１の位置情報に複数の個別情報を対応させて、経路情報の階層を形成し、従来の経路情報の階層よりも１階層増やすことにより、各グループ情報毎に下位の複数の位置情報を登録し、さらに各位置情報毎に下位の複数の個別情報を登録するものである。
【００１０】
また、本発明の経路情報登録表示方法は、第１の階層として、１の経路情報に複数のグループ情報を対応させ、第２の階層として、１のグループ情報に複数の位置情報を対応させ、第３の階層として、１の位置情報に複数の個別情報を対応させて、従来の経路情報の階層よりも１階層増やすことにより、階層化された経路情報に対して、各グループ情報毎に下位の複数の位置情報を表示し、さらに各位置情報毎に下位の複数の個別情報を表示するものである。そして、複数のグループ情報の中から任意の複数のグループ情報が選択された場合は、選択された複数のグループ情報を上記グループ毎に異ならせた複数の識別子を用いて、上記複数の各グループ情報の下位の情報として登録された位置情報によって示される位置上にそれぞれ表示するとともに、選択された複数のグループ情報の名称を、表示手段の画面上におけるグループ情報の表示位置とは異なる所定の位置に表示するものである。
【００１１】
本発明の経路情報登録装置、経路情報表示装置、経路情報登録方法および経路情報表示方法によれば以下の作用をする。
まず、経路情報登録の作用を示す。
入力手段を用いて経路情報としてのマークを付ける場所までカーソルを移動させる入力が行われる。入力手段からコマンド入力が行われる。なお、マークは形成手段によりマークグループの階層を設けて階層化される。
【００１２】
登録手段は、入力されたコマンドがマーク登録のコマンドであるか否かを判断し、入力されたコマンドがマーク登録のコマンドであると判断されたときは、入力手段から次のコマンド入力が行われる。
【００１３】
登録手段は、次に入力されたコマンドが新規マークグループの登録のコマンドであるか既存のマークグループの登録のコマンドであるかを判断し、入力されたコマンドが新規マークグループの登録をせずに、既存のマークグループの登録をするコマンドであると判断された場合、入力手段から既存のマークグループの中のうちどのマークグループの下位にマークを登録するのかが選択される。
【００１４】
また、登録手段は次に入力されたコマンドが新規マークグループの登録をするコマンドであると判断された場合、入力手段から新規マークグループ作成のためのマークグループ名の入力が行われ、形成手段により入力されたマークグループ名のマークグループが作成され、登録手段によりこれが選択される。登録手段は選ばれたマークグループの下位にマークを登録して、マーク位置情報などを記憶手段に記憶させる。
【００１５】
次に、経路情報表示の作用を示す。
入力手段からコマンド入力が行われる。入力されたコマンドがマーク表示設定のコマンドであるか否かを判断し、入力されたコマンドがマーク表示設定のコマンドであると判断されたときは、入力手段から次のコマンド入力が行われる。なお、マークはマークグループの階層を設けて階層化される。
【００１６】
表示手段は次に入力されたコマンドがマーク表示のコマンドであるか非表示のコマンドであるかを判断し、入力されたコマンドがマーク非表示であると判断されたときは、マーク表示しない処理を行う。
【００１７】
また、表示手段により次に入力されたコマンドがマーク表示であると判断されたときは、入力手段からさらに次のコマンド入力が行われる。表示手段は入力されたコマンドが新規マークグループを作るコマンドであるか否かを判断し、入力されたコマンドが新規マークグループを作らずに、既存のマークグループを表示するコマンドであると判断された場合、入力手段から既存のマークグループの中のうち任意のマークグループが選択される。
【００１８】
また、表示手段によりさらに次に入力されたコマンドが新規マークグループを作るコマンドであると判断された場合、入力手段から次のマークグループ名の入力が行われる。表示手段により入力されたマークグループ名のマークグループが作成され、これが選択され、選ばれたマークグループのマークのみが表示される。
【００１９】
【発明の実施の形態】
以下、図面を参照して、本発明の実施の形態を説明する。
【００２０】
［マーク機能］
ナビゲーションシステムのマーク機能とは、ユーザが自由に地図上の任意の場所にマーク表示させ、そのマークについての様々な情報を記憶させることができる機能である。
【００２１】
例えば、地図上に載っていないお店を発見したときに、地図上にその場所をマーク表示させると共に、マーク情報として、お店の名前、電話番号などの情報を登録することができる。図３に本実施の形態のマーク機能を示す。図３において、ナビゲーションシステムの表示部１５には、自車マーク４１および道路４３に対して、３つのマーク４２が表示されている。
【００２２】
このマークは、ユーザが以前に登録設定してあったものである。この３つのマークの中の１つを後述するリモコン（リモートコントローラ）１９によって選択、決定すると、そのマーク情報が表示される。図４は本実施の形態のマーク情報を示す図である。図４において、表示部１５には名称５１として「○×△レストラン」、電話番号５２として［１２３−４５６−７８９０」、そしてその他の情報５３として「イタリアンレストラン  営業時間１１：００〜２４：００」などのマーク情報が表示される。
【００２３】
［システム構成］
図１は本実施の形態の車載用のナビゲーションシステムの構成を示すブロック図である。ＧＰＳ（グローバル・ポジショニング・システム）アンテナ１１より受信するＧＰＳデータにより測位するＧＰＳ受信機１２はＡＶ（オーディオ・ビジュアル）・システム・通信演算処理部１７へ現在位置情報等を供給する。
【００２４】
ＡＶ・システム・通信演算処理部１７は地図データストレージ１３から地図情報、道路情報等をドライバ部１４により読み出し、現在位置情報と合わせて表示部１５へ表示する。
【００２５】
また、その際にメモリ１６では画像データの展開、保持や位置情報などの各種データを保持する。外部からのコマンドの入力はリモコン（リモートコントロール機器）１９を用いてリモコン受光部１８を介してＡＶ・システム・通信演算処理部１７へ供給される。また、マーク位置およびマーク情報などのマークデータはメモリ１６に記憶しておく。
【００２６】
［マークデータのデータ構造の説明］
図２に本実施の形態のデータ構造を示す。図２に示すように、マークデータ２１の下位には、複数のマークグループ名３１として、ユーザ１（３１−１）、・・・、ユーザｍ（３１−ｍ）が設けられている。そして、各マークグループ名３１の下位には、複数のマーク名（位置）３２が設けられている。つまり、ユーザ１（３１−１）にはマークデータ１（２２−１），マークデータ２（２２−２），・・・，マークデータｎ（２２−ｎ）が設けられていて、・・・、ユーザｍ（３１−ｍ）にはマークデータ１（３２−１），マークデータ２（３２−２），・・・，マークデータｎ（３２−ｎ）が設けられている。
【００２７】
さらに、各マーク名（位置）３２の下位には複数の情報名３３が設けられている。つまり、ユーザ１（３１−１）について、マークデータ１（２２−１）には名称３３−１−１，電話番号３３−１−２，その他の情報３３−１−３が設けられ、マークデータ２（２２−２）には名称３３−２−１，電話番号３３−２−２，その他の情報３３−２−３が設けられ、，・・・，マークデータｎ（２２−ｎ）には名称３３−ｎ−１，電話番号３３−ｎ−２，その他の情報３３−ｎ−３が設けられている。
【００２８】
同様にして、ユーザｍ（３１−ｍ）について、マークデータ１（３２−１）には名称３４−１−１，電話番号３４−１−２，その他の情報３４−１−３が設けられ、マークデータ２（３２−２）には名称３４−２−１，電話番号３４−２−２，その他の情報３４−２−３が設けられ、，・・・，マークデータｎ（３２−ｎ）には名称３４−ｎ−１，電話番号３４−ｎ−２，その他の情報３４−ｎ−３が設けられている。
【００２９】
［動作概要］
従来のマークデータ構造は図１２に示すようになっているため、マーク毎に表示、非表示はできるが、マークを特定のグループに分け、グループ毎に表示、非表示を行うことは困難であった。本実施の形態のデータ構造では、図２に示すように図１２のデータ構造に対してマークグループの階層を１段増やすことにより、特定のグループ毎に表示、非表示を行うことが可能となるものである。
【００３０】
つまり、図１２の従来のデータ構造では、複数のユーザがマーク登録した場合でも、図１３に示すように全マーク表示となってしまう。これに対して、図２に示す本実施の形態のデータ構造は、マークグループ名３１の階層を設けたので、後述するように各グループ毎に表示が可能となる。これにより、ユーザによって、または、目的によって、特定のマークグループ毎に表示、非表示が可能となり、使い勝手を良くすることができる。
【００３１】
［マーク表示フローチャート］
図８に本実施の形態のマーク表示の動作のフローチャートを示す。以下の動作はＡＶ・システム・通信演算処理部１７が表示部１５に対して行う動作である。
図８において、ステップＳ１では、ユーザによってリモコン１９からコマンド入力が行われる。
【００３２】
ステップＳ２では、ステップＳ１で入力されたコマンドがマーク表示設定のコマンドであるか否かを判断している。ステップＳ２で入力されたコマンドがマーク表示設定のコマンドでないと判断されたときはステップＳ１へ戻って、ステップＳ１からステップＳ２の処理および判断を繰り返す。
【００３３】
ステップＳ２で入力されたコマンドがマーク表示設定のコマンドであると判断されたときは、ステップＳ３へ進み、ステップＳ３では、ユーザによってリモコン１９から次のコマンド入力が行われる。
【００３４】
ステップＳ４では、ステップＳ３で入力されたコマンドがマーク表示のコマンドであるか非表示のコマンドであるかを判断している。ステップＳ３で入力されたコマンドがマーク非表示であると判断されたときはステップＳ５へ進み、マーク表示しない処理を行う。
【００３５】
ステップＳ３で入力されたコマンドがマーク表示であると判断されたときはステップＳ６へ進み、ステップＳ６では、ユーザによってリモコン１９から次のコマンド入力が行われる。ステップＳ７では、ステップＳ６で入力されたコマンドが新規マークグループを作るコマンドであるか否かを判断している。
【００３６】
ステップＳ７で、ステップＳ６で入力されたコマンドが新規マークグループを作らずに、既存のマークグループを表示するコマンドであると判断された場合、ステップＳ８へ進み、ステップＳ８でユーザによってリモコン１９から既存のマークグループの中のうち任意のマークグループが選択される。
【００３７】
この場合、表示部１５に既存のマークグループ名のリストが表示され、リモコン１９のカーソルおよび決定ボタンを用いてその中から選ばれる。
【００３８】
図５は本実施の形態の１ユーザのマーク表示を示す図である。具体的には、マークグループのユーザ１が選択された場合に、図５に示すように、表示部１５全体にはユーザ１のマーク６１のみが表示され、表示部１５下部にはユーザ１を示すマークグループ名６２が表示される。
【００３９】
また、図６は本実施の形態の他の１ユーザのマーク表示を示す図である。具体的には、マークグループのユーザ２が選択された場合に、図６に示すように、表示部１５全体にはユーザ２のマーク７１のみが表示され、表示部１５下部にはユーザ２を示すマークグループ名７２が表示される。
【００４０】
また、図７は本実施の形態の他の１ユーザのマーク表示を示す図である。具体的には、マークグループのユーザ３が選択された場合に、図７に示すように、表示部１５全体にはユーザ３のマーク８１のみが表示され、表示部１５下部にはユーザ３を示すマークグループ名８２が表示される。
【００４１】
また、図１０は本実施の形態の２ユーザのマーク表示を示す図である。具体的には、マークグループのユーザ１とユーザ３が選択された場合に、図１０に示すように、表示部１５全体にはユーザ１のマーク１１１とユーザ３のマーク１１２のみが表示され、表示部１５下部にはユーザ１およびユーザ３を示すマークグループ名１１３が表示される。
【００４２】
なお、図１１は本実施の形態のマーク表示なしを示す図である。具体的には、表示するマークグループを選択しなかった場合に、図１１に示すように、表示部１５全体には何等マークは表示されず、表示部１５下部にはマークグループ選択なしを示す「無し」の文字が表示される。
【００４３】
図８に戻って、ステップＳ７で、ステップＳ６で入力されたコマンドが新規マークグループを作るコマンドであると判断された場合、ステップＳ９へ進み、ステップＳ９でユーザによってリモコン１９から新規マークグループ名の入力が行われる。
【００４４】
ステップＳ１０で、ステップＳ９で入力されたマークグループ名のマークグループが作成され、これが選択される。
【００４５】
この場合、表示部１５に新規のマークグループ名を含むリストが表示され、リモコン１９のカーソルおよび決定ボタンを用いてその中から新規のマークグループ名が選ばれる。
【００４６】
ステップＳ１１では、ステップＳ８またはステップＳ１０で選ばれたマークグループのマークのみを表示部１５に表示して、ステップＳ１へ戻り、ステップＳ１〜ステップＳ１１までの判断および処理を繰り返す。
【００４７】
［マーク登録フローチャート］
図９に本実施の形態のマーク登録の動作のフローチャートを示す。以下の動作はＡＶ・システム・通信演算処理部１７がメモリ１６に対して行う動作である。
図９において、ステップＳ２１では、ユーザによってリモコン１９を用いてマークを付ける場所までカーソルを移動させる入力が行われる。
ステップＳ２２では、ユーザによってリモコン１９からコマンド入力が行われる。
【００４８】
ステップＳ２３では、ステップＳ２２で入力されたコマンドがマーク登録のコマンドであるか否かを判断している。ステップＳ２２で入力されたコマンドがマーク登録のコマンドでないと判断されたときはステップＳ２１へ戻って、ステップＳ２１からステップＳ２３の処理および判断を繰り返す。
【００４９】
ステップＳ２３で、ステップＳ２２で入力されたコマンドがマーク登録のコマンドであると判断されたときは、ステップＳ２４へ進み、ステップＳ２４では、ユーザによってリモコン１９から次のコマンド入力が行われる。
【００５０】
ステップＳ２５では、ステップＳ２３で入力されたコマンドが新規マークグループの登録のコマンドであるか既存のマークグループの登録のコマンドであるかを判断している。
【００５１】
ステップＳ２５で、ステップＳ２４で入力されたコマンドが新規マークグループの登録をせずに、既存のマークグループの登録をするコマンドであると判断された場合、ステップＳ２６へ進み、ステップＳ２６でユーザによってリモコン１９から既存のマークグループの中のうちどのマークグループの下位にマークを登録するのかが選択される。
【００５２】
この場合、表示部１５に既存のマークグループ名のリストが表示され、リモコン１９のカーソルおよび決定ボタンを用いてその中から選ばれる。
【００５３】
ステップＳ２５で、ステップＳ２４で入力されたコマンドが新規マークグループの登録をするコマンドであると判断された場合、ステップＳ２７へ進み、ステップＳ２７でユーザによってリモコン１９から新規マークグループ作成のためのマークグループ名の入力が行われる。
【００５４】
ステップＳ２８で、ステップＳ２７で入力されたマークグループ名のマークグループが作成され、これが選択される。
【００５５】
この場合、表示部１５に新規のマークグループ名を含むリストが表示され、リモコン１９のカーソルおよび決定ボタンを用いてその中から新規のマークグループ名が選ばれる。
【００５６】
ステップＳ２９では、ステップＳ２６またはステップＳ２８で選ばれたマークグループの下位にマークを登録する。具体的には、マーク位置情報などをメモリ１６に記憶させる。そして、ステップＳ１へ戻り、ステップＳ２１〜ステップＳ２９までの判断および処理を繰り返す。
【００５７】
本実施の形態の経路情報登録表示装置は、１の経路情報に複数のグループ情報を対応させ、１のグループ情報に複数の位置情報を対応させ、１の位置情報に複数の個別情報を対応させて、経路情報の階層を形成する形成手段としてのＡＶ・システム・通信演算処理部１７と、各グループ情報毎に下位の複数の位置情報を登録し、さらに各位置情報毎に下位の複数の個別情報を登録する登録手段としてのＡＶ・システム・通信演算処理部１７およびメモリ１６とを備えたので、従来の経路情報のデータ構造に対して階層を１階層増やすことにより、グループ情報単位で経路情報の登録を行うことができるナビゲーションシステムを得ることができる。
【００５８】
また、本実施の形態の経路情報登録表示装置は、上述において、上記登録手段としてのＡＶ・システム・通信演算処理部１７およびメモリ１６は、上記グループ情報が新規グループ情報であるとき新規グループ情報を作成し、上記新規グループ情報の下位に複数の位置情報を登録し、上記グループ情報が新規グループ情報でないとき既存のグループ情報から選択して上記選択されたグループ情報の下位に複数の位置情報を登録するので、グループ情報単位で新規または更新の登録ができ、グループ情報の下位の従来の経路情報のデータの登録をグループ情報毎に容易にすることができるナビゲーションシステムを得ることができる。
【００５９】
また、本実施の形態の経路情報登録表示装置は、上述において、上記登録手段としてのＡＶ・システム・通信演算処理部１７およびメモリ１６は、上記グループ情報についてユーザ毎または使用目的毎に登録するので、１つのナビゲーションシステムを、複数のユーザや複数の使用目的（プライベート利用やビジネス利用など）によって、個別に経路情報としてマーク登録をすることができるナビゲーションシステムを得ることができる。
【００６０】
また、本実施の形態の経路情報登録表示装置は、１の経路情報に複数のグループ情報を対応させ、１のグループ情報に複数の位置情報を対応させ、１の位置情報に複数の個別情報を対応させて、階層化された経路情報に対して、各グループ情報毎に下位の複数の位置情報を表示し、さらに各位置情報毎に下位の複数の個別情報を表示する表示手段としてのＡＶ・システム・通信演算処理部１７および表示部１５を備えたので、従来の経路情報のデータ構造に対して階層を１階層増やすことにより、グループ情報単位で経路情報の表示を行うことができ、これにより、経路情報の必要最小限表示が可能となり、見やすく、かつ、使いやすくすることができるナビゲーションシステムを得ることができる。
【００６１】
また、本実施の形態の経路情報登録表示装置は、上述において、上記表示手段としてのＡＶ・システム・通信演算処理部１７および表示部１５は、上記グループ情報が新規グループ情報であるとき新規グループ情報を作成し、上記新規グループ情報の下位に複数の位置情報を表示し、上記グループ情報が新規グループ情報でないとき既存のグループ情報から選択して上記選択されたグループ情報の下位に複数の位置情報を表示するので、グループ情報単位で新規または既存の情報の表示ができ、グループ情報の下位の従来の経路情報のデータの表示をグループ情報毎に容易にすることができるナビゲーションシステムを得ることができる。
【００６２】
また、本実施の形態の経路情報登録表示装置は、上述において、上記表示手段としてのＡＶ・システム・通信演算処理部１７および表示部１５は、上記グループ情報についてユーザ毎または使用目的毎に表示するので、１つのナビゲーションシステムを、複数のユーザや複数の使用目的（プライベート利用やビジネス利用など）によって、個別に経路情報としてマーク表示をすることができるナビゲーションシステムを得ることができる。
【００６３】
本実施の形態の経路情報登録表示方法は、１の経路情報としてのマークデータ２１に複数のグループ情報としてのマークグループ名３１を対応させ、１のグループ情報としてのマークグループ名３１に複数の位置情報としてのマーク名３２を対応させ、１の位置情報としてのマーク名３２に複数の個別情報としての情報名３３を対応させて、経路情報の階層を形成し、各グループ情報毎に下位の複数の位置情報を登録し、さらに各位置情報毎に下位の複数の個別情報を登録するので、従来の経路情報のデータ構造に対して階層を１階層増やすことにより、グループ情報単位で経路情報の登録を行うことができる。
【００６４】
また、本実施の形態の経路情報登録表示方法は、上述において、上記グループ情報としてのマークグループ名が新規グループ情報であるとき新規グループ情報を作成し、上記新規グループ情報の下位に複数の位置情報としてのマーク名を登録し、上記グループ情報が新規グループ情報でないとき既存のグループ情報から選択して上記選択されたグループ情報の下位に複数の位置情報を登録するので、グループ情報単位で新規または更新の登録ができ、グループ情報の下位の従来の経路情報のデータの登録をグループ情報毎に容易にすることができる。
【００６５】
また、本実施の形態の経路情報登録表示方法は、上述において、上記グループ情報としてのマークグループ名はユーザ毎または使用目的毎に登録するので、１つのナビゲーションシステムを、複数のユーザや複数の使用目的（プライベート利用やビジネス利用など）によって、個別に経路情報としてマーク登録をすることができる。
【００６６】
また、本実施の形態の経路情報登録表示方法は、１の経路情報としてのマークデータ２１に複数のグループ情報としてのマークグループ名３１を対応させ、１のグループ情報としてのマークグループ名３１に複数の位置情報としてのマーク名３２を対応させ、１の位置情報としてのマーク名３２に複数の個別情報としての情報名３３を対応させて、階層化された経路情報に対して、各グループ情報毎に下位の複数の位置情報を表示し、さらに各位置情報毎に下位の複数の個別情報を表示するので、従来の経路情報のデータ構造に対して階層を１階層増やすことにより、グループ情報単位で経路情報の表示を行うことができ、これにより、経路情報の必要最小限表示が可能となり、見やすく、かつ、使いやすくすることができる。
【００６７】
また、本実施の形態の経路情報登録表示方法は、上述において、上記グループ情報としてのマークグループ名が新規グループ情報であるとき新規グループ情報を作成し、上記新規グループ情報の下位に複数の位置情報としてのマーク名を表示し、上記グループ情報が新規グループ情報でないとき既存のグループ情報から選択して上記選択されたグループ情報の下位に複数の位置情報を表示するので、グループ情報単位で新規または既存の情報の表示ができ、グループ情報の下位の従来の経路情報のデータの表示をグループ情報毎に容易にすることができる。
【００６８】
また、本実施の形態の経路情報登録表示方法は、上述において、上記グループ情報としてのマークグループ名はユーザ毎または使用目的毎に表示するので、１つのナビゲーションシステムを、複数のユーザや複数の使用目的（プライベート利用やビジネス利用など）によって、個別に経路情報としてマーク表示をすることができる。
【００６９】
また、本発明は、上述した本実施の形態に限ることなく、本発明の要旨を逸脱することなく、その他種々の構成が採り得ることは勿論である。なお、システムとは、複数の装置が論理的に集合した物をいい、各構成の装置が同一筐体中にあるか否かは問わない。
【００７０】
【発明の効果】
本発明の経路情報登録表示装置は、１の経路情報に複数のグループ情報を対応させ、１のグループ情報に複数の位置情報を対応させ、１の位置情報に複数の個別情報を対応させて、経路情報の階層を形成する形成手段と、各グループ情報毎に下位の複数の位置情報を登録し、さらに各位置情報毎に下位の複数の個別情報を登録する登録手段とを備えたので、従来の経路情報のデータ構造に対して階層を１階層増やすことにより、グループ情報単位で経路情報の登録を行うことができるナビゲーションシステムを得ることができるという効果を奏する。
【００７１】
また、本発明の経路情報登録表示装置は、上述において、上記登録手段は、上記グループ情報が新規グループ情報であるとき新規グループ情報を作成し、上記新規グループ情報の下位に複数の位置情報を登録し、上記グループ情報が新規グループ情報でないとき既存のグループ情報から選択して上記選択されたグループ情報の下位に複数の位置情報を登録するので、グループ情報単位で新規または更新の登録ができ、グループ情報の下位の従来の経路情報のデータの登録をグループ情報毎に容易にすることができるナビゲーションシステムを得ることができるという効果を奏する。
【００７２】
また、本発明の経路情報登録表示装置は、上述において、上記登録手段は、上記グループ情報についてユーザ毎または使用目的毎に登録するので、１つのナビゲーションシステムを、複数のユーザや複数の使用目的（プライベート利用やビジネス利用など）によって、個別に経路情報としてマーク登録をすることができるナビゲーションシステムを得ることができるという効果を奏する。
【００７３】
また、本発明の経路情報登録表示装置は、１の経路情報に複数のグループ情報を対応させ、１のグループ情報に複数の位置情報を対応させ、１の位置情報に複数の個別情報を対応させて、階層化された経路情報に対して、各グループ情報毎に下位の複数の位置情報を表示し、さらに各位置情報毎に下位の複数の個別情報を表示する表示手段を備えたので、従来の経路情報のデータ構造に対して階層を１階層増やすことにより、グループ情報単位で経路情報の表示を行うことができ、これにより、経路情報の必要最小限表示が可能となり、見やすく、かつ、使いやすくすることができるナビゲーションシステムを得ることができるという効果を奏する。
【００７４】
また、本発明の経路情報登録表示装置は、上述において、上記表示手段は、上記グループ情報が新規グループ情報であるとき新規グループ情報を作成し、上記新規グループ情報の下位に複数の位置情報を表示し、上記グループ情報が新規グループ情報でないとき既存のグループ情報から選択して上記選択されたグループ情報の下位に複数の位置情報を表示するので、グループ情報単位で新規または既存の情報の表示ができ、グループ情報の下位の従来の経路情報のデータの表示をグループ情報毎に容易にすることができるナビゲーションシステムを得ることができるという効果を奏する。
【００７５】
また、本発明の経路情報登録表示装置は、上述において、上記表示手段は、上記グループ情報についてユーザ毎または使用目的毎に表示するので、１つのナビゲーションシステムを、複数のユーザや複数の使用目的（プライベート利用やビジネス利用など）によって、個別に経路情報としてマーク表示をすることができるナビゲーションシステムを得ることができるという効果を奏する。
【００７６】
本発明の経路情報登録表示方法は、１の経路情報に複数のグループ情報を対応させ、１のグループ情報に複数の位置情報を対応させ、１の位置情報に複数の個別情報を対応させて、経路情報の階層を形成し、各グループ情報毎に下位の複数の位置情報を登録し、さらに各位置情報毎に下位の複数の個別情報を登録するので、従来の経路情報のデータ構造に対して階層を１階層増やすことにより、グループ情報単位で経路情報の登録を行うことができるという効果を奏する。
【００７７】
また、本発明の経路情報登録表示方法は、上述において、上記グループ情報が新規グループ情報であるとき新規グループ情報を作成し、上記新規グループ情報の下位に複数の位置情報を登録し、上記グループ情報が新規グループ情報でないとき既存のグループ情報から選択して上記選択されたグループ情報の下位に複数の位置情報を登録するので、グループ情報単位で新規または更新の登録ができ、グループ情報の下位の従来の経路情報のデータの登録をグループ情報毎に容易にすることができるという効果を奏する。
【００７８】
また、本発明の経路情報登録表示方法は、上述において、上記グループ情報はユーザ毎または使用目的毎に登録するので、１つのナビゲーションシステムを、複数のユーザや複数の使用目的（プライベート利用やビジネス利用など）によって、個別に経路情報としてマーク登録をすることができるという効果を奏する。
【００７９】
また、本発明の経路情報登録表示方法は、１の経路情報に複数のグループ情報を対応させ、１のグループ情報に複数の位置情報を対応させ、１の位置情報に複数の個別情報を対応させて、階層化された経路情報に対して、各グループ情報毎に下位の複数の位置情報を表示し、さらに各位置情報毎に下位の複数の個別情報を表示するので、従来の経路情報のデータ構造に対して階層を１階層増やすことにより、グループ情報単位で経路情報の表示を行うことができ、これにより、経路情報の必要最小限表示が可能となり、見やすく、かつ、使いやすくすることができるという効果を奏する。
【００８０】
また、本発明の経路情報登録表示方法は、上述において、上記グループ情報が新規グループ情報であるとき新規グループ情報を作成し、上記新規グループ情報の下位に複数の位置情報を表示し、上記グループ情報が新規グループ情報でないとき既存のグループ情報から選択して上記選択されたグループ情報の下位に複数の位置情報を表示するので、グループ情報単位で新規または既存の情報の表示ができ、グループ情報の下位の従来の経路情報のデータの表示をグループ情報毎に容易にすることができるという効果を奏する。
【００８１】
また、本発明の経路情報登録表示方法は、上述において、上記グループ情報はユーザ毎または使用目的毎に表示するので、１つのナビゲーションシステムを、複数のユーザや複数の使用目的（プライベート利用やビジネス利用など）によって、個別に経路情報としてマーク表示をすることができるという効果を奏する。
【図面の簡単な説明】
【図１】本実施の形態のナビゲーションシステムの構成を示すブロック図である。
【図２】本実施の形態のデータ構造を示す図である。
【図３】本実施の形態のマーク機能を示す図である。
【図４】本実施の形態のマーク情報を示す図である。
【図５】本実施の形態の１ユーザのマーク表示を示す図である。
【図６】本実施の形態の他の１ユーザのマーク表示を示す図である。
【図７】本実施の形態の他の１ユーザのマーク表示を示す図である。
【図８】本実施の形態のマーク表示の動作を示すフローチャートである。
【図９】本実施の形態のマーク登録の動作を示すフローチャートである。
【図１０】本実施の形態の２ユーザのマーク表示を示す図である。
【図１１】本実施の形態のマーク表示なしを示す図である。
【図１２】従来のデータ構造を示す図である。
【図１３】従来の複数ユーザのマーク表示を示す図である。
【符号の説明】
１１‥‥ＧＰＳアンテナ、１２‥‥ＧＰＳ受信機、１３‥‥地図データストレージ、１４‥‥ドライバ部、１５‥‥表示部、１６‥‥メモリ、１７‥‥ＡＶ・システム・通信演算処理部、１８‥‥リモコン受光部、１９‥‥リモコン、２１‥‥マークデータ、３１‥‥マークグループ名、３２‥‥マーク名、３３‥‥情報名、４１‥‥自車マーク、４２‥‥マーク、４３‥‥道路、５１‥‥名称、５２‥‥電話番号、５３‥‥その他の情報、６１‥‥ユーザ１のマーク、６２‥‥マークグループ名、７１‥‥ユーザ２のマーク、７２‥‥マークグループ名、８１‥‥ユーザ３のマーク、８２‥‥マークグループ名、１１１‥‥ユーザ１のマーク、１１２‥‥ユーザ３のマーク、１１３‥‥マークグループ名、
【図１】
0004916043.tif 000002
【図２】
0004916043.tif 000003
【図３】
0004916043.tif 000004
【図４】
0004916043.tif 000005
【図５】
0004916043.tif 000006
【図６】
0004916043.tif 000007
【図７】
0004916043.tif 000008
【図８】
0004916043.tif 000009
【図９】
0004916043.tif 000010
【図１０】
0004916043.tif 000011
【図１１】
0004916043.tif 000012
【図１２】
0004916043.tif 000013
【図１３】
0004916043.tif 000014